(57)【要約】【課題】アナログ単独電話とドアホンとを接続するインタフェースを共通化した電話装置を提供する。【解決手段】給電回路１１は、共通のインタフェースに接続されているアナログ単独電話２０とドアホン３０とのいずれを有効とするかを判別した制御部１３からの電圧調整用の制御信号に応じて、アナログ単独電話２０またはドアホン３０に給電する給電電圧をＰＷＭ（Pulse  Width  Modulation）制御方式により切り替えるＤＣ／ＤＣコントローラ１１１を備え、かつ、Ａ／Ｄ変換部１２は、制御部１３からのＤＳＰ制御用および音声パス制御用の制御信号に応じて、アナログ単独電話２０またはドアホン３０との間の音声情報をＡ／Ｄ変換するとともに、インピーダンスマッチング、側音調整、送話受話レベル調整を行うＤＳＰ１２１ａを備えている。また、ドアホン３０の前段には過電圧保護アダプタ３１を接続する。【選択図】        図１
2010288105.tif 000002
【特許請求の範囲】
【請求項１】
アナログ単独電話とドアホンとを少なくとも接続するインタフェースを有し、制御部からの制御信号に基づいて、前記アナログ単独電話または前記ドアホンへ給電電圧を給電する給電回路と、前記アナログ単独電話または前記ドアホンとの間の音声情報をアナログ・デジタル変換するアナログ／デジタル変換部とを備えた電話装置であって、前記アナログ単独電話と前記ドアホンとを共通の１つのインタフェースに接続し、かつ、前記給電回路は、前記アナログ単独電話と前記ドアホンとのいずれを有効とするかを判別した前記制御部からの制御信号に応じて、前記アナログ単独電話または前記ドアホンに給電するための給電電圧を切り替えるＤＣ／ＤＣコントローラを備えていることを特徴とする電話装置。
【請求項２】
前記ＤＣ／ＤＣコントローラを制御する制御方式として、ＰＷＭ（Pulse  Width  Modulation）制御を用いることを特徴とする請求項１に記載の電話装置。
【請求項３】
前記アナログ／デジタル変換部は、前記アナログ単独電話と前記ドアホンとのいずれを有効とするかを判別した前記制御部からの制御信号に応じて、前記アナログ単独電話または前記ドアホンとの間の音声情報をアナログ・デジタル変換するとともに、インピーダンスマッチング、側音調整、送話受話レベル調整を行うＤＳＰ（Digital  Signal  Processor）を備えていることを特徴とする請求項１または２に記載の電話装置。
【請求項４】
前記アナログ単独電話と前記ドアホンとを共通の１つの前記インタフェースに接続する際に、前記ドアホンの前段に過電圧保護アダプタを接続することを特徴とする請求項１ないし３のいずれかに記載の電話装置。
【請求項５】
前記制御部が前記アナログ単独電話と前記ドアホンとのいずれを有効とするかを判別したモード情報を記憶する記憶部を備え、当該電話装置を再起動しても、前記記憶部に記憶された前記モード情報を保持し、該モード情報による状態に再設定することが可能であることを特徴とする請求項１ないし４のいずれかに記載の電話装置。
【請求項６】
前記アナログ単独電話、前記ドアホンを共通に接続する前記インタフェースが、複数本備えられていることを特徴とする請求項１ないし５のいずれかに記載の電話装置。
【請求項７】
当該電話装置が、キーテレホンシステムまたはＰＢＸ（Private  Branch  Exchange）のいずれかであることを特徴とする請求項１ないし６のいずれかに記載の電話装置。
【発明の詳細な説明】
【技術分野】
【０００１】
本発明は、電話装置に関し、特に、アナログ単独電話（以下単独電話と略す）およびドアホンを収容する電話装置全般（ＰＢＸ、キーテレホン等）に関する。
【背景技術】
【０００２】
最近では、キーテレホンシステムやＰＢＸ（Private  Branch  Exchange）等の電話装置のユニットとして、単独電話のみならず、ドアホンのインタフェースを備えておくことが必須になってきている。特開２０００−０４９９５４号公報「ドアホンアダプタシステム」では、アナログ電話機とドアホンとの通話中に着信があった際の誤判断を防止可能とするドアホンアダプタを提案している。
【０００３】
ここで、従来の電話装置においては、単独電話のインタフェースとドアホンとのインタフェースは、図３、図４にそれぞれ示すように、別々のインタフェースとされており、電話装置としての付加価値や省スペース化を図るための障害となっている。図３は、従来の電話装置の単独電話インタフェースを示すブロック図である。また、図４は、従来の電話装置のドアホンインタフェースを示すブロック図である。
【０００４】
まず、図３に示す電話装置の単独電話インタフェースの回路ブロックについて説明する。図３に示すように、単独電話２０と接続するＰＢＸ、キーテレホン等の電話装置１０Ａは、Ｎｃｈからなる給電回路１１Ａと音声回路１２Ａ、制御部１３Ａ、音声制御部１４Ａ、記憶部１５Ａを備えている。
【０００５】
また、給電回路１１Ａは、単独電話２０に通常４８Ｖを給電する回線給電部１１１Ａ、単独電話２０への給電状態を監視した結果を給電情報として制御部１３Ａへ通報する給電監視部１１２Ａとを備え、また、音声回路１２Ａは、制御部１３ＡからのＰＣＭ  ＣＯＤＥＣ（Pulse  Code  Modulation  Coder/Decoder）制御信号により、アナログ／デジタル変換を行うＡ／Ｄ変換部１２１Ａと、制御部１３Ａからの音声パス制御信号により、デジタルの音声データを送受信する音声制御部１４ＡとＡ／Ｄ変換部１２１Ａとの通話パスを開閉する通話スイッチ１２２Ａとを備え、Ａ／Ｄ変換部１２１Ａは、ＡＤ／ＤＡ変換を行うＰＣＭ  ＣＯＤＥＣ１２１Ａａと２線−４線変換用のハイブリッド回路１２１Ａｂとを備えている。
【０００６】
制御部１３Ａは、記憶部１５Ａに格納している各チャネルのモード（単独電話２０との接続、ドアホン３０との接続等のモード）に基づいて、各チャネルの給電状態の監視、ＰＣＭ  ＣＯＤＥＣ１２１Ａａの制御、音声パスの制御等を行い、Ａ／Ｄ変換部１２Ａに対して制御信号を出力する。
【０００７】
ここで、電話装置１０Ａの単独電話インタフェースは、給電電圧が高く（例として４８Ｖ）、単独電話２０をオフフックすると、通話電流が流れ、電話装置１０Ａの給電監視部１１２Ａにおいて単独電話２０のオフフックを検知して、制御部１３Ａに通報する。而して、制御部１３Ａにおいて呼制御処理を実施することにより、単独電話２０を通話状態に設定し、Ａ／Ｄ変換部１２Ａを介して音声制御部１４Ａとの間で音声データを送受信する。なお、通話状態におけるインピーダンスは通常約６００Ωになる。
【０００８】
音声信号のゲインや側音調整は、Ａ／Ｄ変換部１２１Ａのアナログ部によって行われ、ＰＣＭ  ＣＯＤＥＣ１２１Ａａにより、デジタル音声データに変換し、音声制御部１４Ａにて、該デジタル音声データを伝送する。
【０００９】
次に、図４に示す電話装置のドアホンインタフェースの回路ブロックについて説明する。図４に示すように、ドアホン３０と接続するＰＢＸ、キーテレホン等の電話装置１０Ｂは、Ｎｃｈからなる給電回路１１Ｂと音声回路１２Ｂ、制御部１３Ｂ、音声制御部１４Ｂ、記憶部１５Ｂを備えている。
【００１０】
また、給電回路１１Ｂは、ドアホン３０に通常１０Ｖを給電するドアホン給電部１１１Ｂ、ドアホン３０への給電状態を監視した結果をドアホン起動監視情報として制御部１３Ｂへ通報するドアホン起動監視部１１２Ｂとを備え、また、音声回路１２Ｂは、制御部１３ＢからのＰＣＭ  ＣＯＤＥＣ制御信号により、アナログ／デジタル変換を行うＡ／Ｄ変換部１２１Ｂと、制御部１３Ｂからの音声パス制御信号により、デジタルの音声データを送受信する音声制御部１４ＢとＡ／Ｄ変換部１２１Ｂとの通話パスを開閉する通話スイッチ１２２Ｂとを備え、Ａ／Ｄ変換部１２１Ｂは、ＡＤ／ＤＡ変換を行うＰＣＭ  ＣＯＤＥＣ１２１Ｂａと２線−４線変換用のハイブリッド回路１２１Ｂｂとを備えている。
【００１１】
制御部１３Ｂは、記憶部１５Ｂに格納している各チャネルのモード（単独電話２０との接続、ドアホン３０との接続等のモード）に基づいて、各ドアホンの起動の監視、ＰＣＭ  ＣＯＤＥＣの制御、音声パスの制御等を行い、Ａ／Ｄ変換部１２Ｂに対して制御信号を出力する。
【００１２】
ここで、電話装置１０Ｂのドアホンインタフェースは、来訪者がドアホン３０の呼出スイッチを押下することによって、電流・電圧が変動して、該変動を電話装置１０Ｂのドアホン起動監視部１１２Ｂが検知し、電話装置１０Ｂ側に対して呼出がある旨を通報する。来訪者と通話する際には、通話電流が流れない状態で通話を行う。このため、ドアホン３０のインピーダンスは大きく見える。したがって、ドアホン３０の音声信号の処理は、単独電話インタフェースの場合と同じに行われるが、アナログ回路定数は異なっている。
【先行技術文献】
【特許文献】
【００１３】
【特許文献１】特開２０００−０４９９５４号公報（第３−４頁）
【発明の概要】
【発明が解決しようとする課題】
【００１４】
以上のように、従来技術の問題点は、単独電話インタフェースとドアホンインタフェースとは別々のインタフェースとされており、電話装置としての付加価値や省スペース化を図るための障害となっている。この両者を共通のインタフェースとするためには、固定値である単独電話の給電電圧とドアホンの給電電圧との調整をすること、さらには、単独電話とドアホンとの異なるインピーダンスによって、送話受話側音レベルが変化したときの調整方法が課題となる。
【００１５】
本発明は、かかる課題に鑑みてなされたものであり、単独電話とドアホンとのインタフェースを共通化するためのプログラマブルな仕組みを組み込むことによって、単独電話インタフェースの付加価値をアップさせ、キーテレホンシステムやＰＢＸシステムとしての省スペース化に役立てる電話装置を提供することを、その目的としている。
【課題を解決するための手段】
【００１６】
前述の課題を解決するため、本発明による電話装置は、次のような特徴的な構成を採用している。
【００１７】
（１）アナログ単独電話とドアホンとを少なくとも接続するインタフェースを有し、制御部からの制御信号に基づいて、前記アナログ単独電話または前記ドアホンへ給電電圧を給電する給電回路と、前記アナログ単独電話または前記ドアホンとの間の音声情報をアナログ・デジタル変換するアナログ／デジタル変換部とを備えた電話装置であって、前記アナログ単独電話と前記ドアホンとを共通の１つのインタフェースに接続し、かつ、前記給電回路は、前記アナログ単独電話と前記ドアホンとのいずれを有効とするかを判別した前記制御部からの制御信号に応じて、前記アナログ単独電話または前記ドアホンに給電するための給電電圧を切り替えるＤＣ／ＤＣコントローラを備えている電話装置。
【発明の効果】
【００１８】
本発明の電話装置によれば、以下のような効果を奏することができる。
【００１９】
単独電話とドアホンとのインタフェースを１つにすることによって、単独電話インタフェースの付加価値を高めることができ、また、インタフェースユニットの用品を減らすことができるので、システムサイズを小さくすることができる。  
【００２０】
また、本発明の電話装置は、管理の面においても、ユニットの種類が減るので楽になる。
【図面の簡単な説明】
【００２１】
【図１】本発明に係る電話装置の単独電話とドアホンとの共通インタフェースのブロック構成の一例を示すブロック構成図である。
【図２】図１に示す電話装置における設定動作の一例を示すフローチャートである。
【図３】従来の電話装置の単独電話インタフェースを示すブロック図である。
【図４】従来の電話装置のドアホンインタフェースを示すブロック図である。
【発明を実施するための形態】
【００２２】
以下、本発明による電話装置の好適な実施例について添付図を参照して説明する。なお、本発明による電話装置は、キーテレホンであっても良いし、ＰＢＸ（Private  Branch  Exchange）であっても良く、アナログ単独電話およびドアホンを接続する複数のチャネルを有している電話装置であれば、如何なる装置であっても構わない。
【００２３】
（本発明の特徴）
本発明の実施形態の説明に先立って、本発明の特徴についてその概要をまず説明する。現状、キーテレホンシステムやＰＢＸ等の電話装置においては、アナログ単独電話（以下、単独電話と略す）とドアホンとのインタフェースは別々とされている。その理由は、給電電圧の違いと、異なるインピーダンスが接続されたときの送話受話側音の調整が課題となっており、共通化することが困難であるためである。そこで、本発明においては、給電電圧や送話受話側音レベルの調整をプログラマブルに可変に行うことができる仕組みを採用することにより、アナログ単独電話とドアホンとの共通インタフェース化を実現している。
【００２４】
つまり、本発明においては、給電電圧の共通化に関しては、ＰＷＭ（Pulse  Width  Modulation）制御方式等を採用したＤＣ／ＤＣコントローラとその周辺回路とを追加することによって実現し、送話受話側音レベルに関しては、ＤＳＰ（Digital  Signal  Processor）機能を追加することによって最適な値に調整することを可能とすることを特徴としている。
【００２５】
（実施形態の構成例）
次に、本発明に係る電話装置のシステム構成例について、その一例を図を参照しながら説明する。
【００２６】
図１は、本発明に係る電話装置の単独電話とドアホンとの共通インタフェースのブロック構成の一例を示すブロック構成図であり、図２は、図１に示す電話装置における設定動作の一例を示すフローチャートである。
【００２７】
図１に示すように、電話装置１０は、従来技術の場合と同様、Ｎｃｈからなる給電回路１１と音声回路１２、制御部１３、音声制御部１４、記憶部１５を備えている。
【００２８】
ただし、給電回路１１は、従来技術とは異なり、制御部１３からの電圧調整信号により、供給する電圧を調整するＤＣ／ＤＣコントローラ１１１、ＤＣ／ＤＣコントローラ１１１からの電圧（４８Ｖ／１０Ｖ）を単独電話２０または過電圧保護アダプタ３１を介したドアホン３０に給電する回線給電部１１２、単独電話２０またはドアホン３０への給電状態を監視した結果を給電情報として制御部１３へ通報する給電監視部１１３とを備え、また、音声回路１２についても、従来技術とは異なり、制御部１３からのＤＳＰ（Digital  Signal  Processor）制御信号により、デジタル信号処理によるアナログ／デジタル変換を行うＡ／Ｄ変換部１２１と、制御部１３からの音声パス制御信号により、デジタルの音声データを送受信する音声制御部１４とＡ／Ｄ変換部１２１との通話パスを開閉する通話スイッチ１２２とを備えている。
【００２９】
Ａ／Ｄ変換部１２１は、制御部１３からのＤＳＰ制御信号に基づいて、ＡＤ／ＤＡ変換をプログラマブルに行うＤＳＰ１２１ａと２線−４線変換用のハイブリッド回路１２１ｂとを備えている。なお、ＤＳＰ１２１ａは、制御部１３からのＤＳＰ制御信号に基づいて、ＡＤ／ＤＡ変換をプログラマブルに行うのみならず、インピーダンスマッチング（Ｚマッチング）、側音調整、送話受話レベルの調整を行う。
【００３０】
制御部１３は、記憶部１５に格納している各チャネルのモード（単独電話２０との接続、ドアホン３０との接続等のモード）に基づいて、各チャネルへ供給する電圧の調整、各チャネルの給電状態の監視、Ａ／Ｄ変換用のＤＳＰ１２１ａの制御、音声パスの制御等を行い、給電回路１１、Ａ／Ｄ変換部１２に対して制御信号を出力する。
【００３１】
以上のように、電話装置１０は、単独電話２０とドアホン３０とのインタフェースを共通化し、給電電圧や送話受話側音レベルの調整をプログラマブルに可変を行うことができる仕組みを備えることとしている。つまり、単独電話モードとドアホンモードとの切り替えを電話装置１０の制御部１３において行い、その時に、制御部１３から、給電回路１１やＡ／Ｄ変換部１２のＤＳＰ１２１ａに対して、それぞれのモードに適した指示を行うようにしている。
【００３２】
なお、単独電話２０と共通化した１つのインタフェースにドアホン３０を接続する場合、単独電話２０に供給される高電圧からドアホン３０を保護するために、ドアホン３０の前段には過電圧保護アダプタ３１が挿入される。
【００３３】
単独電話２０とドアホン３０との２つのインタフェースを１つのインタフェースに共通化する場合、前述のように、給電電圧の調整、送話受話側音レベルの調整および端末（単独電話・ドアホン）インピーダンスの補正という課題が発生するが、それぞれについて、図１に示す電話装置においては、以下のような仕組みを採用している。
【００３４】
まず、給電電圧を調整する仕組みとして、ＤＣ／ＤＣコントローラ１１１を追加することによって、給電電圧の切り替えを可能とし、また、該ＤＣ／ＤＣコントローラ１１１の制御方式としてＰＷＭ制御方式を採用することによって、プログラマブルにパルス幅を自由に変更することを可能としているので、様々な給電電圧に設定することを可能としている。
【００３５】
さらに、送話受話側音レベルを調整し、かつ、端末（単独電話２０・ドアホン３０）インピーダンスを補正する仕組みとして、Ａ／Ｄ変換部１２１にはＤＳＰ機能を追加することによってプログラマブルに調整・補正を行うことを可能としている。つまり、或るアナログ信号をリニアデジタルデータに変換し、そのリニアデジタルデータを用いて、ＤＳＰ１２１ａにて送話受話側音レベルの調整、インピーダンス調整を行う。而して、ＰＣＭ変換前に調整を行うことが可能となるので、歪み率も改善することができる。
【００３６】
次に、図２のフローチャートを用いて、図１に示す電話装置１０におけるモードの設定動作の一例をさらに詳細に説明する。
【００３７】
まず、電話装置１０としてチャネルは１ｃｈ〜６４ｃｈの６４個のチャネルを有しているものと仮定すると、そのうちの或るチャネルについて、単独電話モードまたはドアホンモードのいずれかに設定する（ステップＳ１）。次いで、設定した当該チャネルがいずれのモードに設定されたかを判別する(ステップＳ２)。
【００３８】
単独電話モードに設定された場合(ステップＳ２の「単独モード」の場合)、給電電圧を、２０Ｖ−５０Ｖの間で選択して（通常４８Ｖ）、ＤＣ／ＤＣコントローラ１１１から回線給電部１１２を介して、単独電話２０に供給する（ステップＳ３）。さらに、ＤＳＰ１２１ａを制御して、インピーダンスマッチング、側音調整、送話受話レベルの調整を行う。この結果、単独電話モードが有効な状態に設定される（ステップＳ４）。しかる後、ステップＳ７に移行する。
【００３９】
一方、ドアホンモードに設定された場合(ステップＳ２の「ドアホンモード」の場合)、給電電圧を、４Ｖ−１５Ｖの間で選択して（通常１０Ｖ）、ＤＣ／ＤＣコントローラ１１１から回線給電部１１２を介して、ドアホン３０に供給する（ステップＳ５）。さらに、ＤＳＰ１２１ａを制御して、インピーダンスマッチング、側音調整、送話受話レベルの調整を行う。この結果、ドアホンモードが有効な状態に設定される（ステップＳ６）。しかる後、ステップＳ７に移行する。
【００４０】
ステップＳ７においては、さらに、他のチャネルの設定を行うか否かを確認し（ステップＳ７）、他のチャネルの設定も行う場合は（ステップＳ７の「設定する」場合）、ステップＳ１に復帰して、前述のような動作を繰り返す。一方、他のチャネルの設定は行わない場合は（ステップＳ７の「設定しない」場合）、設定を終了する（ステップＳ８）。
【００４１】
なお、図２のフローチャートの設定結果は、記憶部１５に、各チャネルの単独電話モード／ドアホンモードのモード情報として記憶し、電話装置１０を再起動しても、記憶部１５に記憶されたモード情報を保持し、該モード情報による状態に再設定して、再起動前の状態に復帰することが可能となっている。
【００４２】
また、キーテレホンシステムやＰＢＸ等の電話装置１０においては、図２に示したように、単独電話２０、ドアホン３０を共通に接続するインタフェースを複数本備え、単独電話２０、ドアホン３０収容用のインタフェースを多チャネルとすることが可能であり、設定もチャネル毎に行うことが可能である。
【００４３】
さらには、チャネルのモード切り替えに当っては、全て、ＤＣ／ＤＣコントローラ１１１、ＤＳＰ１２１ａによって、ソフトウェア的な切り替えを行うことができるので、将来的にも、使い易いシステム構成になっている。
【００４４】
また、単独電話モードに設定された状態で、誤挿入してドアホン３０を接続すると、ドアホン３０が故障するという問題が発生する。したがって、前述したように、ドアホン３０の前段には、過電圧保護アダプタ３１を接続することによって、ドアホン３０の故障を回避している。
【００４５】
（実施形態の効果の説明）
本実施形態の電話装置１０によれば、以下のような効果を得ることができる。
【００４６】
単独電話２０とドアホン３０とのインタフェースを１つにすることによって、単独電話インタフェースの付加価値を高めることができ、また、インタフェースユニットの用品を減らすことができるので、システムサイズを小さくすることができる。
【００４７】
また、電話装置１０は、管理の面においても、ユニットの種類が減るので楽になる。
【００４８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記ＤＣ／ＤＣコントローラを制御する制御方式として、ＰＷＭ（Pulse  Width  Modulation）制御を用いる上記（１）の電話装置。
（３）前記アナログ／デジタル変換部は、前記アナログ単独電話と前記ドアホンとのいずれを有効とするかを判別した前記制御部からの制御信号に応じて、前記アナログ単独電話または前記ドアホンとの間の音声情報をアナログ・デジタル変換するとともに、インピーダンスマッチング、側音調整、送話受話レベル調整を行うＤＳＰ（Digital  Signal  Processor）を備えている上記（１）または（２）の電話装置。
（４）前記アナログ単独電話と前記ドアホンとを共通の１つの前記インタフェースに接続する際に、前記ドアホンの前段に過電圧保護アダプタを接続する上記（１）ないし（３）のいずれかの電話装置。
（５）前記制御部が前記アナログ単独電話と前記ドアホンとのいずれを有効とするかを判別したモード情報を記憶する記憶部を備え、当該電話装置を再起動しても、前記記憶部に記憶された前記モード情報を保持し、該モード情報による状態に再設定することが可能である上記（１）ないし（４）のいずれかの電話装置。
（６）前記アナログ単独電話、前記ドアホンを共通に接続する前記インタフェースが、複数本備えられている上記（１）ないし（５）のいずれかの電話装置。
（７）当該電話装置が、キーテレホンシステムまたはＰＢＸ（Private  Branch  Exchange）のいずれかである上記（１）ないし（６）のいずれかの電話装置。
【符号の説明】
【００４９】
１０        電話装置
１０Ａ      電話装置
１０Ｂ      電話装置
１１        給電回路
１１Ａ      給電回路
１１Ｂ      給電回路
１２        音声回路
１２Ａ      音声回路
１２Ｂ      音声回路
１３        制御部
１３Ａ      制御部
１３Ｂ      制御部
１４        音声制御部
１４Ａ      音声制御部
１４Ｂ      音声制御部
１５        記憶部
１５Ａ      記憶部
１５Ｂ      記憶部
２０        単独電話
３０        ドアホン
３１        過電圧保護アダプタ
１１１      ＤＣ／ＤＣコントローラ
１１１Ａ    回線給電部
１１１Ｂ    ドアホン給電部
１１２      回線給電部
１１２Ａ    給電監視部
１１２Ｂ    ドアホン起動監視部
１１３      給電監視部
１２１      Ａ／Ｄ変換部
１２１Ａ    Ａ／Ｄ変換部
１２１ａ    ＤＳＰ
１２１Ｂ    Ａ／Ｄ変換部
１２１ｂ    ハイブリッド回路
１２１Ａａ  ＰＣＭ  ＣＯＤＥＣ
１２１Ａｂ  ハイブリッド回路
１２１Ｂａ  ＰＣＭ  ＣＯＤＥＣ
１２１Ｂｂ  ハイブリッド回路
１２２      通話スイッチ
１２２Ａ    通話スイッチ
１２２Ｂ    通話スイッチ
【図１】
2010288105.tif 000003
【図２】
2010288105.tif 000004
【図３】
2010288105.tif 000005
【図４】
2010288105.tif 000006